(57)【要約】【課題】発光状態の視認性を向上させることが可能となる防災機器を提供すること。【解決手段】感知器１００であって、外カバー１１と、感知器１００における少なくとも一部を発光させることにより、情報を出力する発光部と、を備え、発光部は、少なくとも、検出対象の物理量を検出するためのサーミスタを収容する保護部１２であって、外カバー１１から突出している保護部１２を発光させ、保護部１２は、発光部からの光を導光して発光し、外カバー１１の少なくとも一部に形成されている導光部１１１、を備え、発光部は、導光部１１１を発光させ、導光部１１１の発光面は、外カバー１１の正面部側から外カバー１１の側面部側にわたっており、導光部１１１の発光面は、外カバー１１の正面部側から見たときに、直線形状である。【選択図】図１
2020190998.tif 000002
【特許請求の範囲】
【請求項１】
防災機器であって、
外カバーと、
前記防災機器における少なくとも一部を発光させることにより、情報を出力する発光手段と、を備え、
前記発光手段は、少なくとも、検出対象の物理量を検出するための検出素子を収容する検出素子保護手段であって、前記外カバーから突出している前記検出素子保護手段を発光させる、
防災機器。
【請求項２】
前記検出素子保護手段は、前記発光手段からの光を導光して発光する、
請求項１に記載の防災機器。
【請求項３】
前記外カバーの少なくとも一部に形成されている導光手段、を備え、
前記発光手段は、前記導光手段を発光させる、
請求項１又は２に記載の防災機器。
【請求項４】
前記導光手段の発光面は、前記外カバーの正面部側から前記外カバーの側面部側にわたっており、
前記導光手段の発光面は、前記外カバーの前記正面部側から見たときに、直線形状又は曲線形状である、
請求項３に記載の防災機器。
【請求項５】
前記導光手段は、前記外カバーにおける操作孔であって、前記防災機器を操作するための前記操作孔に対応する位置に設けられている、
請求項３又は４に記載の防災機器。
【請求項６】
前記発光手段は、前記外カバーにおける他の部分よりも薄い部分である薄肉部を発光させる、
請求項１から５の何れか一項に記載の防災機器。
【請求項７】
前記薄肉部の発光面は、前記外カバーの正面部側から前記外カバーの側面部側にわたっており、
前記薄肉部の発光面は、前記外カバーの前記正面部側から見たときに、直線形状又は曲線形状である、
請求項６に記載の防災機器。
【請求項８】
前記防災機器は、少なくとも、熱感知器であり、
前記検出素子保護手段は、少なくとも、サーミスタガードである、
請求項１から７の何れか一項に記載の防災機器。
【請求項９】
防災機器であって、
外カバーと、
前記防災機器における少なくとも一部を発光させることにより、情報を出力する発光手段と、を備え、
前記発光手段は、少なくとも、前記外カバーの少なくとも一部に形成されている導光手段を発光させ、
前記導光手段の発光面は、前記外カバーの正面部側から前記外カバーの側面部側にわたっている、
防災機器。
【請求項１０】
前記導光手段の発光面は、前記外カバーの前記正面部側から見たときに、直線形状又は曲線形状である、
請求項９に記載の防災機器。
【請求項１１】
防災機器であって、
外カバーと、
前記防災機器における少なくとも一部を発光させることにより、情報を出力する発光手段と、を備え、
前記発光手段は、少なくとも、前記外カバーにおける他の部分よりも薄い部分である薄肉部を発光させ、
前記薄肉部の発光面は、前記外カバーの正面部側から前記外カバーの側面部側にわたっている、
防災機器。
【請求項１２】
前記薄肉部の発光面は、前記外カバーの前記正面部側から見たときに、直線形状又は曲線形状である、
請求項１１に記載の防災機器。
【発明の詳細な説明】
【技術分野】
【０００１】
本発明は、防災機器に関する。
【背景技術】
【０００２】
従来、天井等に設置されて火災による熱を検出する感知器が知られていた（例えば、特許文献１参照）。この感知器においては、外カバーに設けられている表示灯を発光させることにより、感知器の又は監視領域の状態を報知していた。
【先行技術文献】
【特許文献】
【０００３】
【特許文献１】特開２０１２−１９８７５７号公報
【発明の概要】
【発明が解決しようとする課題】
【０００４】
しかしながら、特許文献１の感知器の表示灯については、外カバーにおける突出しているプロテクタ（例えば、サーミスタを保護する部分）の隣に設けられていたので、感知器を視認する方向に応じて、当該プロテクタに視界が遮られる可能性があった。従って、所定の基準（例えば、感知器が設置されている部屋の出入口から感知器の表示灯を視認できるように設置するという規準等）に基づいて感知器の設置向きを厳格に管理する必要があり、手間となっていた。
【０００５】
本発明は上記問題に鑑みてなされたもので、発光状態の視認性を向上させることが可能となる防災機器を提供することを目的とする。
【課題を解決するための手段】
【０００６】
上述した課題を解決し、目的を達成するために、請求項１に記載の防災機器は、防災機器であって、外カバーと、前記防災機器における少なくとも一部を発光させることにより、情報を出力する発光手段と、を備え、前記発光手段は、少なくとも、検出対象の物理量を検出するための検出素子を収容する検出素子保護手段であって、前記外カバーから突出している前記検出素子保護手段を発光させる。
【０００７】
また、請求項２に記載の防災機器は、請求項１に記載の防災機器において、前記検出素子保護手段は、前記発光手段からの光を導光して発光する。
【０００８】
また、請求項３に記載の防災機器は、請求項１又は２に記載の防災機器において、前記外カバーの少なくとも一部に形成されている導光手段、を備え、前記発光手段は、前記導光手段を発光させる。
【０００９】
また、請求項４に記載の防災機器は、請求項３に記載の防災機器において、前記導光手段の発光面は、前記外カバーの正面部側から前記外カバーの側面部側にわたっており、前記導光手段の発光面は、前記外カバーの前記正面部側から見たときに、直線形状又は曲線形状である。
【００１０】
また、請求項５に記載の防災機器は、請求項３又は４に記載の防災機器において、前記導光手段は、前記外カバーにおける操作孔であって、前記防災機器を操作するための前記操作孔に対応する位置に設けられている。
【００１１】
また、請求項６に記載の防災機器は、請求項１から５の何れか一項に記載の防災機器において、前記発光手段は、前記外カバーにおける他の部分よりも薄い部分である薄肉部を発光させる。
【００１２】
また、請求項７に記載の防災機器は、請求項６に記載の防災機器において、前記薄肉部の発光面は、前記外カバーの正面部側から前記外カバーの側面部側にわたっており、前記薄肉部の発光面は、前記外カバーの前記正面部側から見たときに、直線形状又は曲線形状である。
【００１３】
また、請求項８に記載の防災機器は、請求項１から７の何れか一項に記載の防災機器において、前記防災機器は、少なくとも、熱感知器であり、前記検出素子保護手段は、少なくとも、サーミスタガードである。
【００１４】
また、請求項９に記載の防災機器は、防災機器であって、外カバーと、前記防災機器における少なくとも一部を発光させることにより、情報を出力する発光手段と、を備え、前記発光手段は、少なくとも、前記外カバーの少なくとも一部に形成されている導光手段を発光させ、前記導光手段の発光面は、前記外カバーの正面部側から前記外カバーの側面部側にわたっている。
【００１５】
また、請求項１０に記載の防災機器は、請求項９に記載の防災機器において、前記導光手段の発光面は、前記外カバーの前記正面部側から見たときに、直線形状又は曲線形状である。
【００１６】
また、請求項１１に記載の防災機器は、防災機器であって、外カバーと、前記防災機器における少なくとも一部を発光させることにより、情報を出力する発光手段と、を備え、前記発光手段は、少なくとも、前記外カバーにおける他の部分よりも薄い部分である薄肉部を発光させ、前記薄肉部の発光面は、前記外カバーの正面部側から前記外カバーの側面部側にわたっている。
【００１７】
また、請求項１２に記載の防災機器は、請求項１１に記載の防災機器において、前記薄肉部の発光面は、前記外カバーの前記正面部側から見たときに、直線形状又は曲線形状である。
【発明の効果】
【００１８】
請求項１に記載の防災機器によれば、外カバーから突出している検出素子保護手段を発光させることにより、例えば、発光状態の視認性を向上させることが可能となる。特に、例えば、あらゆる方向から発光状態を視認させることが可能となる。
【００１９】
請求項２に記載の防災機器によれば、検出素子保護手段は発光手段からの光を導光して発光することにより、例えば、検出素子保護手段全体を発光させることができるので、発光状態の視認性を向上させることが可能となる。
【００２０】
請求項３に記載の防災機器によれば、導光手段を発光させることにより、例えば、検出素子保護手段に加えて導光手段も発光させることができるので、発光状態の視認性を更に向上させることが可能となる。
【００２１】
請求項４に記載の防災機器によれば、導光手段の発光面が外カバーの正面部側から外カバーの側面部側にわたっていることにより、例えば、防災機器から離れており正面側が見え難い位置からも、発光状態を確実に視認させることが可能となる。また、導光手段の発光面が外カバーの正面部側から見たときに直線形状又は曲線形状であるので、例えば、防災機器の意匠性を向上させることが可能となる。特に、導光手段の発光面を外カバーの正面部側から見たときに曲線形状とした場合には、例えば防災機器が天井面に設置された状態において、床面側から発光面を視認できる範囲を、直線形状とした場合に比べて広くすることが可能となる。
【００２２】
請求項５に記載の防災機器によれば、導光手段が操作孔に対応する位置に設けられていることにより、例えば、導光手段側にユーザの注意をひくことによって、操作孔を目立たち難くすることが可能となる。
【００２３】
請求項６に記載の防災機器によれば、薄肉部を発光させることにより、例えば、ライトガイド等の他の部品を用いることが不要となるので、部品点数を減らすことができ、低コスト化を図ることが可能となる。
【００２４】
請求項７に記載の防災機器によれば、薄肉部の発光面が外カバーの正面部側から外カバーの側面部側にわたっていることにより、例えば、防災機器から離れており正面側が見え難い位置からも、発光状態を確実に視認させることが可能となる。また、薄肉部の発光面が外カバーの正面部側から見たときに直線形状又は曲線形状であるので、例えば、防災機器の意匠性を向上させることが可能となる。特に、薄肉部を外カバーの正面部側から見たときに曲線形状とした場合には、更に、例えば防災機器が天井面に設置された状態において、床面側から発光面を視認できる範囲を、直線形状とした場合に比べて広くすることが可能となり、また、複数の防災機器を設置した場合に、発光面の向きがばらついている印象を緩和することができる。
【００２５】
請求項８に記載の防災機器によれば、防災機器は少なくとも熱感知器であることにより、例えば、あらゆる方向から発光状態を視認させることができる熱感知器を提供することが可能となる。
【００２６】
請求項９に記載の防災機器によれば、導光手段を発光させることにより、例えば、発光状態の視認性を向上させることが可能となる。また、導光手段の発光面が外カバーの正面部側から外カバーの側面部側にわたっていることにより、例えば、防災機器から離れており正面側が見え難い位置からも、発光状態を確実に視認させることが可能となる。
【００２７】
請求項１０に記載の防災機器によれば、導光手段の発光面が外カバーの正面部側から見たときに直線形状又は曲線形状であるので、例えば、防災機器の意匠性を向上させることが可能となる。特に、導光手段の発光面を外カバーの正面部側から見たときに曲線形状とした場合には、更に、例えば防災機器が天井面に設置された状態において、床面側から発光面を視認できる範囲を、直線形状とした場合に比べて広くすることが可能となり、また、複数の防災機器を設置した場合に、発光面の向きがばらついている印象を緩和することができる。
【００２８】
請求項１１に記載の防災機器によれば、薄肉部を発光させることにより、例えば、発光状態の視認性を向上させることが可能となる。また、例えば、ライトガイド等の他の部品を用いることが不要となるので、部品点数を減らすことができ、低コスト化を図ることが可能となる。また、薄肉部の発光面が外カバーの正面部側から外カバーの側面部側にわたっていることにより、例えば、防災機器から離れており正面側が見え難い位置からも、発光状態を確実に視認させることが可能となる。
【００２９】
請求項１２に記載の防災機器によれば、薄肉部の発光面が外カバーの正面部側から見たときに直線形状又は曲線形状であるので、例えば、防災機器の意匠性を向上させることが可能となる。特に、薄肉部の発光面を外カバーの正面部側から見たときに曲線形状とした場合には、更に、例えば防災機器が天井面に設置された状態において、床面側から薄肉部の発光を視認できる範囲を、直線形状とした場合に比べて広くすることが可能となり、また、複数の防災機器を設置した場合に、薄肉部の向きがばらついている印象を緩和することができる。
【図面の簡単な説明】
【００３０】
【図１】実施の形態１における感知器の斜視図である。
【図２】感知器の平面図である。
【図３】感知器の側面図である。
【図４】図２のＡ‐Ａ断面図である。
【図５】図４において光路を例示した図である。
【図６】実施の形態２における感知器の斜視図である。
【図７】感知器の平面図である。
【図８】感知器の側面図である。
【図９】図７のＢ‐Ｂ断面図である。
【図１０】図９において光路を例示した図である。
【図１１】感知器の平面図である。
【発明を実施するための形態】
【００３１】
以下に、本発明に係る防災機器の実施の形態を図面に基づいて詳細に説明する。なお、実施の形態によりこの発明が限定されるものではない。
【００３２】
〔実施の形態の基本的概念〕
まずは、実施の形態の基本的概念について説明する。実施の形態は、概略的に、防災機器に関するものである。
【００３３】
「防災機器」とは、防災のために用いられる機器であり、例えば、監視領域の異常を検出する機器等を含む概念であり、一例としては、熱感知器、火災感知器、ガス感知器、及び煙感知器等を含む概念である。また、「防災機器」とは、例えば、外カバー、及び発光手段を備えており、任意で、導光手段、及び薄肉部を備える。
【００３４】
「監視領域」とは、防災機器による監視の対象となっている領域であり、具体的には、一定の広がりを持った空間であり、例えば、建築物の部屋（例えば、１階の部屋Ａ、１階の部屋Ｂ等）、廊下、階段等を含む概念である。また、「監視領域の異常」とは、監視領域の状態が通常とは異なっている状態であることであり、具体的には、火災発生、ガス漏れ等を含む概念である。
【００３５】
「外カバー」とは、例えば、防災機器の構成要素の少なくとも一部を覆うものである。
【００３６】
「発光手段」とは、防災機器における少なくとも一部を発光させることにより、情報を出力する手段であり、例えば、検出対象の物理量を検出するための検出素子を収容する検出素子保護手段であって、カバーから突出している検出素子保護手段を発光させるもの等を含む概念である。また、「発光手段」とは、例えば、導光手段を発光させるもの等を含む概念であり、また、薄肉部を発光させるもの等を含むが概念である。なお、発光手段が発光させる対象は、例えば、検出素子保護手段、導光手段、又は薄肉部のうちの、いずれか１つのみであってもよく、あるいは、何れかの２つであってもよく、あるいは、全てであってもよい。
【００３７】
「検出対象の物理量」とは、例えば、監視領域の異常に起因して発生又は変化し得る量であり、一例としては、熱による温度、煙濃度、一酸化炭素ガス等の気体の濃度等を含む概念である。「検出素子」とは、検出対象の物理量を検出するための構成要素であり、例えば、サーミスタの如き温度センサ、発光ダイオード及びフォトダイオード等にて構成される煙センサ、及びガスセンサ等を含む概念である。
【００３８】
「検出素子保護手段」とは、検出素子を収容するものであり、具体的には、外カバーから突出しているもの等を含む概念であり、例えば、発光手段からの光を導光して発光するもの等を含む概念であり、一例としては、サーミスタを保護するサーミスタガード等を含む概念である。
【００３９】
「導光手段」とは、外カバーの少なくとも一部に形成されているものであり、例えば、光を導いて発光するもの等を含む概念であり、また、当該導光手段の発光面がカバーの正面部側から外カバーの側面部側にわたっているもの等を含む概念であり、また、当該導光手段の発光面が外カバーの正面部側から見たときに直線形状又は曲線形状のもの等を含む概念であり、また、外カバーにおける操作孔であって、防災機器を操作するための操作孔に対応する位置に設けられているもの等を含む概念である。なお、「防災機器を操作する」とは、例えば、ユーザが防災機器を物理的に操作すること等を含む概念であり、一例としては、操作孔に対して所定の治具を挿入した状態で当該防災機器を、取付部に対して回動させること等を含む概念である。また、「導光手段の発光面」とは、例えば、導光手段における防災機器の外部に露出する面であって、利用者に視認される面等を含む概念である。
【００４０】
「薄肉部」とは、外カバーにおける厚さが他の部分に比べ相対的に薄い部分であり、例えば、照射された光のうちの少なくとも一部を透過可能な程度に薄い部分等を含む概念であり、また、当該薄肉部の発光面が外カバーの正面部側から外カバーの側面部側にわたっている部分等を含む概念であり、また、当該薄肉部の発光面が外カバーの正面部側から見たときに直線形状又は曲線形状の部分等を含む概念である。ここで、「薄肉部の発光面」とは、薄肉部において、発光部の発光が透過する領域であって防災機器の外部に露出した部分、即ち利用者に発光していることが視認される面領域を含む概念である。
【００４１】
そして、以下に示す各実施の形態では、「防災機器」が熱感知器である場合について説明し、特に、実施の形態１においては、検出素子保護手段及び導光手段を発光させる場合について説明し、また、実施の形態２においては、検出素子保護手段及び薄肉部を発光させる場合について説明する。
【００４２】
［実施の形態の具体的内容］
次に、実施の形態の具体的内容について説明する。
【００４３】
（実施の形態１）
初めに、実施の形態１について説明する。この実施の形態においては、検出素子保護手段及び導光手段を発光させる場合について説明する。
【００４４】
（構成−感知器）
まず、本実施の形態に係る感知器の構成について説明する。図１は、本発明の実施の形態における感知器の斜視図であり、図２は、感知器の平面図であり、図３は、感知器の側面図であり、図４は、図２のＡ‐Ａ断面図である。なお、各図では、Ｚ軸が垂直方向を示しており、Ｚ軸と直交するＸ軸及びＹ軸が水平方向を示していることとして説明する。また、例えば、「正面部」、「背面部」、及び「側面部」については、感知器１００の一部を称する用語であることとして説明する。具体的には、感知器１００を天井面である取付対象９００に設置した場合において、感知器１００における床面側（感知器１００を基準として取付対象９００の反対側）（図３の−Ｚ方向）に位置するほうを「正面部」と称し、感知器１００における天井面である取付対象９００に面するほう（図３の＋Ｚ方向）を「背面部」とする。そして、感知器１００における「正面部」と「背面部」に繋がる周面を「側面部」とする。なお、これらの「正面部」、「背面部」、及び「側面部」の定義については、実施の形態２でも同様とする。
【００４５】
図１〜図４の各図の感知器１は、防災機器であり、具体的には、熱を検出する熱感知器であり、例えば、天井面である取付対象９００に対して図３の感知器１００の取付部１０１（例えば、所謂「感知器ベース」。詳細構造の図示は省略）を介して取り付けられるものであり、一例としては、図１の外カバー１１、保護部１２、防止部１３、図４のサーミスタ１４、発光部１５を備える。
【００４６】
（構成−感知器−外カバー）
図１の外カバー１１は、感知器１００の構成要素の少なくとも一部を覆うものである。この外カバー１１の具体的な種類や構成は任意であるが、例えば、図３に示すように、取付部１０１から離れても同径の円筒状の部分と、取付部１０１から離れるにつれて小径となるテーパー形状の部分とを備えるものであり、また、特記する部分を除いて遮光性を有するものであり、また、図２の導光部１１１、及び操作孔１１２を備えるものである。なお、「遮光性」とは、光を遮る性能であり、例えば、外カバー１１における内側から外側に対して光を通さない性能等を示す概念である。
【００４７】
導光部１１１とは、前述の導光手段である。この導光部１１１の具体的な種類や構成は任意であるが、例えば、外カバー１１の一部に形成されているものであり、また、光を導いて発光するライトガイドとして機能するために任意の材料にて形成されるものであり、また、外カバー１１における遮光性を有する部分とは別体として形成されているものであり、また、外カバー１１における内側から外側に対して光を通すものである。また、導光部１１１は、例えば、当該導光部１１１の発光面（図２及び図３で図示されている感知器１００の外部に対して露出している面）が外カバー１１の正面部側（−Ｚ方向）から外カバー１１の側面部側（＋Ｘ方向又は−Ｘ方向）にわたっているものであり、また、２個設けられているものであり、また、図２に示すように、当該導光部１１１の発光面が外カバー１１の正面部側から見たときに直線形状のものであり、また、操作孔１１２の位置に対応する位置に設けられているものである。
【００４８】
操作孔１１２とは、前述の操作孔である。この操作孔１１２の具体的な種類や構成は任意であるが、例えば、前述の所定の治具を挿通できるように、外カバー１１の内部に通じている孔である。
【００４９】
（構成−感知器−保護部）
図１の保護部１２は、前述の検出素子保護手段である。この保護部１２の具体的な種類や構成は任意であるが、例えば、外カバー１１の一部に形成されているものであり、また、光を導いて発光するライトガイドとして機能するために任意の材料にて形成されるものであり、また、外カバー１１における遮光性を有する部分とは別体として形成されているものであり、また、外カバー１１における内側から外側に対して光を通すものである。また、保護部１２は、例えば、図４のサーミスタ１４を保護するものであり、また、当該サーミスタ１４を収容するための中空部を有するものであり、外カバー１１から取付部１０１の反対側（−Ｚ方向）に向かって突出しているものであり、また、外カバー１１が広がっている方向（ＸＹ平面に平行な方向）において当該外カバー１１の中央に設けられているものであり、また、導光部１１１と一体的に形成されているものである。また、保護部１２は、例えば、図１のフレーム部１２１、開口部１２２、及び図４の分光部１２３を備えるものである。
【００５０】
フレーム部１２１は、例えば、保護部１２の少なくとも一部の外形を形成す部分であり、また、感知器１００における先端部分（−Ｚ方向）を形成する１個の円形部材と、当該円形部材と外カバー１１との間において当該円形部材を支持している６個の支持部材とを備える部分である。
【００５１】
開口部１２２は、例えば、保護部１２の中空部に設けられているサーミスタ１４に対して熱気流を流入又は流出させる部分であり、また、前述のフレーム部１２１の６個の支持部材で区切られて６個設けられている部分である。
【００５２】
分光部１２３は、例えば、発光部１５から出力される光を屈折、分散、又は反射させる部分であり、また、発光部１５と対向している部分である。
【００５３】
（構成−感知器−防止部）
図１の防止部１３は、保護部１２に収容されているサーミスタ１４に対して接触対象が接触することを防止する防止手段である。なお、「接触対象」とは、接触することが防止部１３によって防止される対象であり、例えば、ユーザの指等を含む概念である。この防止部１３の具体的な種類や構成は任意であるが、例えば、開口部１２２に設けられている突起である。
【００５４】
（構成−感知器−サーミスタ）
図４のサーミスタ１４は、前述の検出素子である。このサーミスタ１４の具体的な種類や構成は任意であるが、例えば、熱又は熱気流による温度を検出するものであり、また、外カバー１１が広がっている方向に対して直交する方向（Ｚ軸方向）において突出しているものであり、保護部１２に収容されているものである。
【００５５】
（構成−感知器−発光部）
図４の発光部１５は、前述の発光手段である。この発光部１５の具体的な種類や構成は任意であるが、例えば、導光部１１１、及び保護部１２を発光させるものであり、また、分光部１２３に向かって光を出力するものであり、また、発光ダイオード等を用いて構成することができるものである。
【００５６】
（発光）
次に、このように構成される感知器１００による発光について説明する。なお、感知器１００が発光するタイミングは任意であり、例えば、感知器１００の状態を報知する場合、あるいは、感知器１００がサーミスタ１４で検出した熱の温度に基づいて火災を判定した場合等の任意のタイミングが想定される。なお、感知器１００が火災を判定する処理は、従来と同様の処理を適用することができるので、その説明は省略する。図５は、図４において光路を例示した図である。
【００５７】
図５の感知器１００の不図示の制御部が発光部１５から光を出力する。この場合、導光部１１１と保護部１２は一体に形成されており、当該発光部１５からの光は、分光部１２３にて屈折、分散、又は反射されて、図５に示すように、導光部１１１及び保護部１２全体に導光される。なお、図５では、説明の便宜上、図面左側の発光部１５からの光の光路のみが図示されているが、実際には、図面右側の発光部１５からも光が出力されて、導光部１１１及び保護部１２全体に導光されることになる。そして、図１の導光部１１１及び保護部１２全体が発光することになる。このように発光させることにより、感知器１００が設置されている部屋のあらゆる位置から、感知器１００の発光を視認することが可能となる。
【００５８】
（実施の形態の効果）
このように本実施の形態によれば、外カバー１１から突出している保護部１２を発光させることにより、例えば、発光状態の視認性を向上させることが可能となる。特に、例えば、あらゆる方向から発光状態を視認させることが可能となる。
【００５９】
また、保護部１２は発光部１５からの光を導光して発光することにより、例えば、保護部１２全体を発光させることができるので、発光状態の視認性を向上させることが可能となる。
【００６０】
また、導光部１１１を発光させることにより、例えば、保護部１２に加えて導光部１１１も発光させることができるので、発光状態の視認性を更に向上させることが可能となる。
【００６１】
また、導光部１１１が外カバー１１の正面部側から外カバー１１の側面部側にわたっていることにより、例えば、感知器１００から離れており正面側が見え難い位置からも、発光状態を確実に視認させることが可能となる。また、導光部１１１の発光面が外カバー１１の正面部側から見たときに直線形状であるので、例えば、感知器１００の意匠性を向上させることが可能となる。
【００６２】
また、導光部１１１が操作孔１１２に対応する位置に設けられていることにより、例えば、導光部１１１側にユーザの注意をひくことによって、操作孔１１２を目立たち難くすることが可能となる。
【００６３】
（実施の形態２）
次に、実施の形態２について説明する。この実施の形態においては、検出素子保護手段及び薄肉部を発光させる場合について説明する。なお、この実施の形態２の各構成については、特記する場合を除いて、実施の形態１の同一名称の各構成と同様であることとする。
【００６４】
（構成−感知器）
まず、本実施の形態に係る感知器の構成について説明する。図６は、本発明の実施の形態における感知器の斜視図であり、図７は、感知器の平面図であり、図８は、感知器の側面図であり、図９は、図７のＢ‐Ｂ断面図である。各図の感知器２００は、防災機器であり、具体的には、熱を検出する熱感知器であり、例えば、天井面である取付対象９００に対して図８の感知器２００の取付部２０１を介して取り付けられているものであり、一例としては、図６の外カバー２１、保護部２２、防止部２３、図９のサーミスタ２４、発光部２５を備える。
【００６５】
（構成−感知器−外カバー）
図６の外カバー２１は、感知器２００の構成要素の少なくとも一部を覆うものである。この外カバー２１の具体的な種類や構成は任意であるが、例えば、光を全部又は一部のみ遮るものであり、また、図７の薄肉部２１１を備えるものである。
【００６６】
薄肉部２１１とは、外カバー２１における他の部分よりも薄い部分である。この薄肉部２１１の具体的な種類や構成は任意であるが、例えば、照射された光のうちの少なくとも一部を透過可能な程度に薄い部分（つまり、照射された光のうちの一部のみを遮光する程度に薄い部分）であり、また、外カバー２１における他の部分と一体的に形成されている部分であり、また、当該薄肉部２１１の発光面（図７及び図８の感知器２００の外部に対して露出している面であって、説明の便宜上破線で囲まれて図示されている部分に対応する面）が外カバー２１の正面部側（−Ｚ方向）から外カバー２１の側面部側（＋Ｘ方向又は−Ｘ方向）にわたっているものであり、また、２個設けられているものであり、また、図７に示すように、当該薄肉部２１１の発光面が外カバー２１の正面部側から見たときに直線形状のものである。
【００６７】
なお、「外カバー２１における他の部分」とは、外カバー２１の一部であり、具体的には、外カバー２１における薄肉部２１１以外の部分であり、例えば、照射された光のうちの略全部を遮光する程度の厚みとなっている部分である。
【００６８】
（構成−感知器−保護部）
図６の保護部２２は、前述の検出素子保護手段である。この保護部２２の具体的な種類や構成は任意であるが、例えば、外カバー２１の一部に形成されているものであり、また、光を導いて発光するライトガイドとして機能するために任意の材料にて形成されるものであり、また、外カバー２１における遮光性を有する部分とは別体として形成されているものであり、また、外カバー２１における内側から外側に対して光を通すものである。また、保護部２２は、例えば、図９のサーミスタ２４を保護するものであり、また、図６のフレーム部２２１、開口部２２２、及び図９の分光部２２３を備えるものである。なお、フレーム部２２１、開口部２２２、及び分光部２２３の構成は、実施の形態１の同一名称の構成と同様であるので、その説明を省略する。
【００６９】
（構成−感知器−防止部、サーミスタ、発光部）
図６の防止部２３、図９のサーミスタ２４、及び発光部２５の構成は、実施の形態１の同一名称の構成と同様であるので、その説明を省略する。
【００７０】
（発光）
次に、このように構成される感知器２００による発光について説明する。図１０は、図９において光路を例示した図である。
【００７１】
図１０の感知器２００の不図示の制御部が発光部２５から光を出力する。この場合、当該発光部２５からの光は、分光部２２３にて屈折、分散、又は反射されて、図１０に示すように、薄肉部２１１全体に照射され、また、保護部２２全体に導光される。なお、図１０では、説明の便宜上、図面左側の発光部２５からの光の光路のみが図示されているが、実際には、図面右側の発光部２５からも光が出力されて、薄肉部２１１全体に照射され、また、保護部２２全体に導光されることになる。そして、図７の薄肉部２１１及び保護部２２全体が発光することになる。このように発光させることにより、感知器２００が設置されている部屋のあらゆる位置から、感知器２００の発光を視認することが可能となる。
【００７２】
（実施の形態の効果）
このように本実施の形態によれば、薄肉部２１１を発光させることにより、例えば、ライトガイド等の他の部品を用いることが不要となるので、部品点数を減らすことができ、低コスト化を図ることが可能となる。
【００７３】
また、薄肉部２１１の発光面が外カバー２１の正面部側から外カバー２１の側面部側にわたっていることにより、例えば、感知器２００から離れており正面側が見え難い位置からも、発光状態を確実に視認させることが可能となる。また、薄肉部２１１の発光面が外カバー２１の正面部側から見たときに直線形状であるので、例えば、感知器２００の意匠性を向上させることが可能となる。
【００７４】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７５】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００７６】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００７７】
（導光部及び薄肉部について）
また、実施の形態１では、図２に示すように、導光部１１１の発光面が外カバー２１の正面部側から見たときに直線形状である場合について説明したが、これに限らない。図１１は、感知器の平面図である。この図１１の感知器３００の導光部３１１のように、当該導光部３１１の発光面（図１１で図示されている感知器３００の外部に対して露出している面）が、外カバー２１の正面部側から見たときに曲線形状（例えば、全体としてはＳ字形状）としてもよい。また、実施の形態２の図７の薄肉部２１１についても、同様にして、曲線形状（例えば、全体としてはＳ字形状）としてもよい。
【００７８】
また、各実施の形態では、導光部及び薄肉部が２個ずつ設けられている場合について説明したが、これに限らない。例えば、１個ずつ設けてもよいし、又は、３個以上ずつ設けてもよい。あるいは、導光部及び薄肉部を省略してもよい。また、保護部、導光部、薄肉部に対応する発光部の数や配置も任意である。
【００７９】
（発光部による発光対象について）
また、上記各実施の形態では、図２の保護部１２及び図７の保護部２２を発光させる場合について説明したが、これに限らない。例えば、保護部１２、２２を遮光性を有する部材にて形成することにより、図２の導光部１１１、図７の薄肉部２１１のみが発光部１５、２５からの光で発光するように構成してもよい。
【００８０】
（様々な形状の防災機器への適用について）
また、上記各実施の形態又は変形例に記載の技術を、様々な防災機器に適用してもよい。一例としては、様々な形状の煙感知器に適用してもよい。具体的には、外カバーから突出する一部に検煙部を収容する煙感知器（以下、第１煙感知器）に適用してもよく、あるいは、外カバー全体が円盤形状を呈してフラットになっており、突出部分を有さずに当該フラットになっている外カバー内に検煙部を収容する煙感知器（以下、第２煙感知器）に適用してもよい。そして、第１煙感知器に適用する場合、各実施の形態で説明した場合と同様にして、突出する一部を検出素子保護手段として発光させてもよいし、あるいは、導光部又は薄肉部を設けてこれら各部を発光させるように構成してもよい。また、第２煙感知器に適用する場合、突出する部分が存在せず検出素子保護手段に対応する構成が設けられていないので、導光部又は薄肉部の何れか一方のみ、あるいは、両方を設けて、導光部又は薄肉部を発光させるように構成してもよい。また、煙感知器以外の任意の防災機器に対して、ここで説明した概念を適用してもよい。
【００８１】
（特徴について）
また、上記各実施の形態の構成、及び変形例の特徴を、任意に組み合わせてもよい。例えば、図２の感知器１００における外カバー１１に対して薄肉部を設けて、導光部１１１と共に当該薄肉部を発光させるように構成してもよいし、あるいは、図７の感知器２００における外カバー１１に対して導光部を設けて、薄肉部２１１と共に導光部を発光させるように構成してもよい。この場合も両者の配置や数は任意とする。
【００８２】
（付記）
付記１に記載の防災機器は、防災機器であって、外カバーと、前記防災機器における少なくとも一部を発光させることにより、情報を出力する発光手段と、を備え、前記発光手段は、少なくとも、検出対象の物理量を検出するための検出素子を収容する検出素子保護手段であって、前記外カバーから突出している前記検出素子保護手段を発光させる。
【００８３】
付記２の防災機器は、付記１に記載の防災機器において、前記検出素子保護手段は、前記発光手段からの光を導光して発光する。
【００８４】
付記３の防災機器は、付記１又は２に記載の防災機器において、前記外カバーの少なくとも一部に形成されている導光手段、を備え、前記発光手段は、前記導光手段を発光させる。
【００８５】
付記４の防災機器は、付記３に記載の防災機器において、前記導光手段の発光面は、前記外カバーの正面部側から前記外カバーの側面部側にわたっており、前記導光手段の発光面は、前記外カバーの前記正面部側から見たときに、直線形状又は曲線形状である。
【００８６】
付記５の防災機器は、付記３又は４に記載の防災機器において、前記導光手段は、前記外カバーにおける操作孔であって、前記防災機器を操作するための前記操作孔に対応する位置に設けられている。
【００８７】
付記６の防災機器は、付記１から５の何れか一項に記載の防災機器において、前記発光手段は、前記外カバーにおける他の部分よりも薄い部分である薄肉部を発光させる。
【００８８】
付記７の防災機器は、付記６に記載の防災機器において、前記薄肉部の発光面は、前記外カバーの正面部側から前記外カバーの側面部側にわたっており、前記薄肉部の発光面は、前記外カバーの前記正面部側から見たときに、直線形状又は曲線形状である。
【００８９】
付記８の防災機器は、付記１から７の何れか一項に記載の防災機器において、前記防災機器は、少なくとも、熱感知器であり、前記検出素子保護手段は、少なくとも、サーミスタガードである。
【００９０】
付記９の防災機器は、防災機器であって、外カバーと、前記防災機器における少なくとも一部を発光させることにより、情報を出力する発光手段と、を備え、前記発光手段は、少なくとも、前記外カバーの少なくとも一部に形成されている導光手段を発光させ、前記導光手段の発光面は、前記外カバーの正面部側から前記外カバーの側面部側にわたっている。
【００９１】
付記１０の防災機器は、付記９に記載の防災機器において、前記導光手段の発光面は、前記外カバーの前記正面部側から見たときに、直線形状又は曲線形状である。
【００９２】
付記１１の防災機器は、防災機器であって、外カバーと、前記防災機器における少なくとも一部を発光させることにより、情報を出力する発光手段と、を備え、前記発光手段は、少なくとも、前記外カバーにおける他の部分よりも薄い部分である薄肉部を発光させ、前記薄肉部の発光面は、前記外カバーの正面部側から前記外カバーの側面部側にわたっている。
【００９３】
付記１２の防災機器は、付記１１に記載の防災機器において、前記薄肉部の発光面は、前記外カバーの前記正面部側から見たときに、直線形状又は曲線形状である。
【００９４】
（付記の効果）
付記１に記載の防災機器によれば、外カバーから突出している検出素子保護手段を発光させることにより、例えば、発光状態の視認性を向上させることが可能となる。特に、例えば、あらゆる方向から発光状態を視認させることが可能となる。
【００９５】
付記２に記載の防災機器によれば、検出素子保護手段は発光手段からの光を導光して発光することにより、例えば、検出素子保護手段全体を発光させることができるので、発光状態の視認性を向上させることが可能となる。
【００９６】
付記３に記載の防災機器によれば、導光手段を発光させることにより、例えば、検出素子保護手段に加えて導光手段も発光させることができるので、発光状態の視認性を更に向上させることが可能となる。
【００９７】
付記４に記載の防災機器によれば、導光手段の発光面が外カバーの正面部側から外カバーの側面部側にわたっていることにより、例えば、防災機器から離れており正面側が見え難い位置からも、発光状態を確実に視認させることが可能となる。また、導光手段の発光面が外カバーの正面部側から見たときに直線形状又は曲線形状であるので、例えば、防災機器の意匠性を向上させることが可能となる。特に、導光手段の発光面を外カバーの正面部側から見たときに曲線形状とした場合には、例えば防災機器が天井面に設置された状態において、床面側から発光面を視認できる範囲を、直線形状とした場合に比べて広くすることが可能となる。
【００９８】
付記５に記載の防災機器によれば、導光手段が操作孔に対応する位置に設けられていることにより、例えば、導光手段側にユーザの注意をひくことによって、操作孔を目立たち難くすることが可能となる。
【００９９】
付記６に記載の防災機器によれば、薄肉部を発光させることにより、例えば、ライトガイド等の他の部品を用いることが不要となるので、部品点数を減らすことができ、低コスト化を図ることが可能となる。
【０１００】
付記７に記載の防災機器によれば、薄肉部の発光面が外カバーの正面部側から外カバーの側面部側にわたっていることにより、例えば、防災機器から離れており正面側が見え難い位置からも、発光状態を確実に視認させることが可能となる。また、薄肉部の発光面が外カバーの正面部側から見たときに直線形状又は曲線形状であるので、例えば、防災機器の意匠性を向上させることが可能となる。特に、薄肉部を外カバーの正面部側から見たときに曲線形状とした場合には、更に、例えば防災機器が天井面に設置された状態において、床面側から発光面を視認できる範囲を、直線形状とした場合に比べて広くすることが可能となり、また、複数の防災機器を設置した場合に、発光面の向きがばらついている印象を緩和することができる。
【０１０１】
付記８に記載の防災機器によれば、防災機器は少なくとも熱感知器であることにより、例えば、あらゆる方向から発光状態を視認させることができる熱感知器を提供することが可能となる。
【０１０２】
付記９に記載の防災機器によれば、導光手段を発光させることにより、例えば、発光状態の視認性を向上させることが可能となる。また、導光手段の発光面が外カバーの正面部側から外カバーの側面部側にわたっていることにより、例えば、防災機器から離れており正面側が見え難い位置からも、発光状態を確実に視認させることが可能となる。
【０１０３】
付記１０に記載の防災機器によれば、導光手段の発光面が外カバーの正面部側から見たときに直線形状又は曲線形状であるので、例えば、防災機器の意匠性を向上させることが可能となる。特に、導光手段の発光面を外カバーの正面部側から見たときに曲線形状とした場合には、更に、例えば防災機器が天井面に設置された状態において、床面側から発光面を視認できる範囲を、直線形状とした場合に比べて広くすることが可能となり、また、複数の防災機器を設置した場合に、発光面の向きがばらついている印象を緩和することができる。
【０１０４】
付記１１に記載の防災機器によれば、薄肉部を発光させることにより、例えば、発光状態の視認性を向上させることが可能となる。また、例えば、ライトガイド等の他の部品を用いることが不要となるので、部品点数を減らすことができ、低コスト化を図ることが可能となる。また、薄肉部の発光面が外カバーの正面部側から外カバーの側面部側にわたっていることにより、例えば、防災機器から離れており正面側が見え難い位置からも、発光状態を確実に視認させることが可能となる。
【０１０５】
付記１２に記載の防災機器によれば、薄肉部の発光面が外カバーの正面部側から見たときに直線形状又は曲線形状であるので、例えば、防災機器の意匠性を向上させることが可能となる。特に、薄肉部の発光面を外カバーの正面部側から見たときに曲線形状とした場合には、更に、例えば防災機器が天井面に設置された状態において、床面側から薄肉部の発光を視認できる範囲を、直線形状とした場合に比べて広くすることが可能となり、また、複数の防災機器を設置した場合に、薄肉部の向きがばらついている印象を緩和することができる。
【符号の説明】
【０１０６】
１１  外カバー
１２  保護部
１３  防止部
１４  サーミスタ
１５  発光部
２１  外カバー
２２  保護部
２３  防止部
２４  サーミスタ
２５  発光部
１００  感知器
１０１  取付部
１１１  導光部
１１２  操作孔
１２１  フレーム部
１２２  開口部
１２３  分光部
２００  感知器
２０１  取付部
２１１  薄肉部
２２１  フレーム部
２２２  開口部
２２３  分光部
３００  感知器
３１１  導光部
９００  取付対象
【図１】
2020190998.tif 000003
【図２】
2020190998.tif 000004
【図３】
2020190998.tif 000005
【図４】
2020190998.tif 000006
【図５】
2020190998.tif 000007
【図６】
2020190998.tif 000008
【図７】
2020190998.tif 000009
【図８】
2020190998.tif 000010
【図９】
2020190998.tif 000011
【図１０】
2020190998.tif 000012
【図１１】
2020190998.tif 000013